(57)【要約】【課題】  使用する電源の放電特性の違いによる影響を考慮しつつ、適正な警告電圧を決定できるようにする。【解決手段】  電子機器は、電源の電圧を検出する電圧検出手段と、前記電源から負荷に流れる電流と前記電源から前記負荷に流れる電流経路のインピーダンスとから前記電源の電圧降下を計算する制御手段とを有し、前記電圧検出手段で検出した前記電源の電圧が所定の電圧である際に、前記電源の電圧降下を計算し、計算した電圧降下と基準となる電圧降下とを比較し、それらの差分を計算し、前記計算した電圧降下が前記基準となる電圧降下よりも小さい場合は、前記差分に相当する値だけ警告電圧を低く設定することが適正であると判定すると共に、その判定結果に対応する情報を表示手段に表示させる。【選択図】  図１
2018061387.tif 000002
【特許請求の範囲】
【請求項１】
電源の電圧を検出する電圧検出手段と、
前記電源から負荷に流れる電流と前記電源から前記負荷に流れる電流経路のインピーダンスとから前記電源の電圧降下を計算する制御手段と
を有し、
前記電圧検出手段で検出した前記電源の電圧が所定の電圧である際に、前記電源の電圧降下を計算し、計算した電圧降下と基準となる電圧降下とを比較し、それらの差分を計算し、
前記計算した電圧降下が前記基準となる電圧降下よりも大きい場合は、前記差分に相当する値だけ警告電圧を高く設定することが適正であると判定し、
前記計算した電圧降下が前記基準となる電圧降下よりも小さい場合は、前記差分に相当する値だけ警告電圧を低く設定することが適正であると判定すると共に、その判定結果に対応する情報を表示手段に表示させる
ことを特徴とする電子機器。
【請求項２】
電源の電圧を検出する電圧検出手段と、
前記電源から負荷に流れる電流と前記電源から前記負荷に流れる電流経路のインピーダンスとから前記電源の電圧降下を計算する制御手段と
を有し、
前記電圧検出手段で検出した前記電源の電圧が所定の電圧である際に、前記電源の電圧降下を計算し、計算した電圧降下と基準となる電圧降下とを比較し、それらの差分を計算し、
前記計算した電圧降下が前記基準となる電圧降下よりも大きい場合は、前記差分に相当する値だけ警告電圧を高く設定することが適正であると判定すると共に、適正であると判定した電圧によって警告電圧を更新し、
前記計算した電圧降下が前記基準となる電圧降下よりも小さい場合は、前記差分に相当する値だけ警告電圧を低く設定することが適正であると判定すると共に、適正であると判定した電圧によって警告電圧を更新する
ことを特徴とする電子機器。
【発明の詳細な説明】
【技術分野】
【０００１】
本発明は、放電特性が分からない電源を使用する際に、警告電圧を適正に設定できる電子機器に関する。
【背景技術】
【０００２】
業務用ビデオカメラの多くは、撮影現場で電源である電池の交換を行うことができる。電池の交換を行うタイミングは、例えば、電源の電圧が警告電圧に達した時点である。特許文献１には、動作モードに応じて警告電圧を決定する方法が開示されている。
【先行技術文献】
【特許文献】
【０００３】
【特許文献１】特開平９−５３６４号公報
【発明の概要】
【発明が解決しようとする課題】
【０００４】
しかしながら、上記方法では、動作モードにおける消費電力のみを考慮して警告電圧を決定している。そのため、使用する電源の放電特性の違いによる影響（例えば、電池材料による差、容量違いによる差、使用頻度、経年劣化など）は考慮されておらず、警告電圧を適正に決定することができない。
【０００５】
そこで、本発明は、使用する電源の放電特性の違いによる影響を考慮しつつ、適正な警告電圧を決定できるようにすることを目的とする。
【課題を解決するための手段】
【０００６】
本発明に係る電子機器の一つは、電源の電圧を検出する電圧検出手段と、前記電源から負荷に流れる電流と前記電源から前記負荷に流れる電流経路のインピーダンスとから前記電源の電圧降下を計算する制御手段とを有し、前記電圧検出手段で検出した前記電源の電圧が所定の電圧である際に、前記電源の電圧降下を計算し、計算した電圧降下と基準となる電圧降下とを比較し、それらの差分を計算し、前記計算した電圧降下が前記基準となる電圧降下よりも大きい場合は、前記差分に相当する値だけ警告電圧を高く設定することが適正であると判定し、前記計算した電圧降下が前記基準となる電圧降下よりも小さい場合は、前記差分に相当する値だけ警告電圧を低く設定することが適正であると判定すると共に、その判定結果に対応する情報を表示手段に表示させることを特徴とする。
【０００７】
本発明に係る電子機器の一つは、電源の電圧を検出する電圧検出手段と、前記電源から負荷に流れる電流と前記電源から前記負荷に流れる電流経路のインピーダンスとから前記電源の電圧降下を計算する制御手段とを有し、前記電圧検出手段で検出した前記電源の電圧が所定の電圧である際に、前記電源の電圧降下を計算し、計算した電圧降下と基準となる電圧降下とを比較し、それらの差分を計算し、前記計算した電圧降下が前記基準となる電圧降下よりも大きい場合は、前記差分に相当する値だけ警告電圧を高く設定することが適正であると判定すると共に、適正であると判定した電圧によって警告電圧を更新し、前記計算した電圧降下が前記基準となる電圧降下よりも小さい場合は、前記差分に相当する値だけ警告電圧を低く設定することが適正であると判定すると共に、適正であると判定した電圧によって警告電圧を更新することを特徴とする。
【発明の効果】
【０００８】
本発明によれば、使用する電源の放電特性の違いによる影響を考慮しつつ、適正な警告電圧を決定することができる。
【図面の簡単な説明】
【０００９】
【図１】実施形態１及び他の実施形態における電子機器１００の構成要素の一例を説明するためのブロック図である。
【図２】実施形態１における電子機器１００で行われる通知制御方法を説明するためのフローチャートである。
【図３】警告電圧Ｖｗを高く設定することが適正と判定される場合における電源電圧の状態を説明するための図である。
【図４】警告電圧Ｖｗを低く設定することが適正と判定される場合における電源電圧の状態を説明するための図である。
【図５】実施形態２における電子機器１００で行われる通知制御方法を説明するためのフローチャートである。
【図６】実施形態３における電子機器１００で行われる通知制御方法を説明するためのフローチャートである。
【発明を実施するための形態】
【００１０】
以下、図面を参照して本発明の実施形態を説明する。ただし、本発明は以下の実施形態に限定されるものではない。
［実施形態１］
図１は、実施形態１及び他の実施形態における電子機器１００の構成要素の一例を示すブロック図である。
【００１１】
図１に示すように、電子機器１００は、電源１０１、電圧検出部１０２、記憶部１０３、制御部１０４、表示部１０５、負荷１０６、電流検出部１０７及び操作部１０８を有する。電源１０１は、電子機器１００から取り外し可能な様々な種類の電池の一つである。電源１０１は、電子機器１００の各構成要素に電力を供給する。電圧検出部１０２は、電源１０１の電圧を検出し、検出した電圧の情報を制御部１０４に送信する。
【００１２】
記憶部１０３は、電子機器１００の各構成要素を制御するための一つ以上のプログラムと、電子機器１００の各構成要素に関するパラメータ情報と、電源１０１から負荷１０６に流れる電流経路の回路インピーダンスを示す情報と、警告電圧Ｖｗを示す情報とを記憶している。記憶部１０３は、電源１０１から負荷１０６に所定の電流を流すタイミングの閾値となる所定の電圧と、電源１０１から負荷１０６に所定の電流を流した際に想定している基準となる電圧降下（以下、「想定電圧降下」と呼ぶ）とを記憶している。記憶部１０３はさらに、制御部１０４が取得した電圧検出部１０２で検出した電源１０１の電圧を示す情報と、電流検出部１０７で検出した電流を示す情報とを記憶する。
【００１３】
制御部１０４は、記憶部１０３に記憶されている一つ以上のプログラムを実行するプロセッサとそのプロセッサによるアクセスが可能なメモリとを有し、電子機器１００の各構成要素の動作を制御することができる。また、電圧検出部１０２、電流検出部１０７及び記憶部１０３からの情報を取得し、それらの情報を用いて様々な演算処理を行い、様々な演算処理によって得られた情報を記憶部１０３に記憶することができる。制御部１０４は、電流検出部１０７で検出した電源１０１から負荷１０６に流れる電流と記憶部１０３に記憶している電源１０１から負荷１０６に流れる電流経路の回路インピーダンスとから負荷１０６による電源１０１の電圧降下を計算することができる。
【００１４】
制御部１０４は、電圧検出部１０２で検出した電源１０１の電圧が記憶部１０３で記憶している所定の電圧である際に、電源１０１から負荷１０６に所定の電流を流し、その際の電圧降下を計算することができる。制御部１０４はさらに、計算された電圧降下と記憶部１０３に記憶している想定電圧降下とを比較し、それらの差分から記憶部１０３に記憶している警告電圧Ｖｗに対して適正な値を計算し、警告電圧Ｖｗが適正か否かを判定することもできる。
【００１５】
表示部１０５は、データの表示、対話的な操作のためのＧＵＩ（Ｇｒａｐｈｉｃａｌ  Ｕｓｅｒ  Ｉｎｔｅｒｆａｃｅ）表示などを行う。また、電圧検出部１０２で検出した電源１０１の電圧が警告電圧Ｖｗより低い場合、警告を表示する。
負荷１０６は、電子機器１００を動作させる回路であり、前記回路は電源１０１から動作に必要な電力が供給されることにより電子機器１００を動作させる。
【００１６】
電流検出部１０７は、電源１０１から負荷１０６に流れる電流（以下、「負荷電流」と呼ぶ）を検出する。例えば抵抗で構成され、制御部１０４が抵抗の両端子の電圧を検出し、検出した両端子の電位差と抵抗の抵抗値から負荷電流を計算する。この場合、抵抗の抵抗値は記憶部１０３が記憶している。操作部１０８は、ユーザインタフェースであり、メニューセレクトあるいはキースイッチ等、幾多のスイッチ群によって構成されている。ユーザが操作部１０８に入力して指示に応じた信号を制御部１０４に送信し、制御部１０４は電子機器１００を動作させる。
【００１７】
次に、図２に示すフローチャートを参照し、実施形態１における電子機器１００で行われる通知制御方法を説明する。
【００１８】
ステップＳ２０１において、制御部１０４は、電圧検出部１０２を介して電源１０１の電圧を検出し、ステップＳ２０２に移行する。ここで検出した電源１０１の電圧は電圧Ｖｐと定義する。ステップＳ２０２において、制御部１０４は、記憶部１０３から電源１０１から負荷１０６に所定の電流を流すタイミングの閾値となる所定の電圧を取得し、ステップＳ２０３に移行する。ここで取得する所定の電圧は電圧Ｖｎ（ｎは初期値１から始まる自然数（ｎ＝１、２、３・・・））と定義し、その相対関係はＶ１＞Ｖ２＞・・・＞Ｖｎとなっている。
【００１９】
ステップＳ２０３において、制御部１０４は、ステップＳ２０１で検出した電圧ＶｐとステップＳ２０２で取得した電圧Ｖｎとを比較し、電圧Ｖｐが電圧Ｖｎ以下か否かを判定する。電圧Ｖｐが電圧Ｖｎ以下と判定した場合は、ステップＳ２０５に移行する。電圧Ｖｐが電圧Ｖｎより高いと判定した場合は、ステップＳ２０４に移行する。ステップＳ２０４において、制御部１０４は、ｎ＝１か否かを判定する。ｎ＝１と判定した場合は、ステップＳ２０６に移行する。ｎ＝１ではないと判定した場合は、ステップＳ２０７に移行する。
【００２０】
ステップＳ２０５において、制御部１０４は、ステップＳ２０２で検出した電圧Ｖｎよりも一つ低い電圧Ｖ（ｎ＋１）を再度ステップＳ２０２で取得したいためｎ＝ｎ＋１として、ステップＳ２０２に移行する。ステップＳ２０６において、制御部１０４は、ステップＳ２０４までの結果から電圧Ｖｐは電圧Ｖｎより高い電圧と判定しステップＳ２０８に移行する。ステップＳ２０７において、制御部１０４は、ステップＳ２０４までの結果から電圧Ｖｐは電圧Ｖｎより高く電圧Ｖ（ｎ−１）以下の電圧と判定しステップＳ２０８に移行する。
【００２１】
ステップＳ２０８において、制御部１０４は、電圧検出部１０２を介して電源１０１の電圧Ｖｐを検出し、ステップＳ２０９に移行する。ステップＳ２０９において、制御部１０４は、記憶部１０３から電源１０１から負荷１０６に所定の電流を流すタイミングの閾値となる所定の電圧Ｖｎを取得し、ステップＳ２１０に移行する。
【００２２】
ステップＳ２１０において、制御部１０４は、ステップＳ２０８で検出した電圧ＶｐとステップＳ２０９で取得した電圧Ｖｎとを比較し、電圧Ｖｐが電圧Ｖｎ以下か否かを判定する。電圧Ｖｐが電圧Ｖｎ以下と判定した場合は、ステップＳ２１１に移行する。電圧Ｖｐが電圧Ｖｎより高いと判定した場合は、ステップＳ２０８に移行する。
【００２３】
ステップＳ２１１において、制御部１０４は、電源１０１から負荷１０６に所定の電流を流し、電圧降下を計算し、ステップＳ２１２に移行する。ここで計算する電圧降下は電圧降下ΔＶａｎと定義し、電圧Ｖｎ以下となった場合に計算する電圧降下である。例えば、電圧Ｖ１以下となった場合に計算する電圧降下は電圧降下ΔＶａ１、電圧Ｖ２以下となった場合に計算する電圧降下は電圧降下ΔＶａ２となる。
【００２４】
ステップＳ２１２において、制御部１０４は、記憶部１０３に記憶している想定電圧降下を取得し、ステップＳ２１３に移行する。ここで取得する想定電圧降下は想定電圧降下ΔＶｂｎと定義し、電圧Ｖｎ以下となった場合に取得する想定電圧降下である。例えば、電圧Ｖ１以下となった場合に取得する想定電圧降下は想定電圧降下ΔＶｂ１、電圧Ｖ２以下となった場合に取得する想定電圧降下は想定電圧降下ΔＶｂ２となる。
【００２５】
ステップＳ２１３において、制御部１０４は、ステップＳ２１１で計算した電圧降下ΔＶａｎとステップＳ２１２で取得した想定電圧降下ΔＶｂｎとを比較し、電圧降下ΔＶａｎが想定電圧降下ΔＶｂｎより大きいか否かを判定する。電圧降下ΔＶａｎが想定電圧降下ΔＶｂｎより大きいと判定した場合は、ステップＳ２１４に移行する。電圧降下ΔＶａｎが想定電圧降下ΔＶｂｎ以下と判定した場合は、ステップＳ２１５に移行する。
【００２６】
ステップＳ２１４において、制御部１０４は、図３に示すように記憶部１０３に記憶している警告電圧Ｖｗを電圧降下ΔＶａｎと想定電圧降下ΔＶｂｎとの差分ΔＶａｎ−ΔＶｂｎに相当する値だけ高く設定することが適正であると判定し、ステップＳ２１９に移行する。
【００２７】
ステップＳ２１５において、制御部１０４は、ステップＳ２１１で計算した電圧降下ΔＶａｎとステップＳ２１２で取得した想定電圧降下ΔＶｂｎとを比較し、電圧降下ΔＶａｎが想定電圧降下ΔＶｂｎより小さいか否かを判定する。電圧降下ΔＶａｎが想定電圧降下ΔＶｂｎより小さいと判定した場合は、ステップＳ２１６に移行する。電圧降下ΔＶａｎが想定電圧降下ΔＶｂｎ以上と判定した場合は、ステップＳ２１７に移行する。
【００２８】
ステップＳ２１６において、制御部１０４は、図４に示すように記憶部１０３に記憶している警告電圧Ｖｗを電圧降下ΔＶａｎと想定電圧降下ΔＶｂｎとの差分ΔＶｂｎ−ΔＶａｎに相当する間だけ低く設定することが適正であると判定する。ステップＳ２１７において、制御部１０４は、ステップＳ２１３とステップＳ２１５で判定した結果から電圧降下ΔＶａｎと想定電圧降下ΔＶｂｎは同じであると判定し、ステップＳ２１８に移行する。
【００２９】
ステップＳ２１８において、制御部１０４は、記憶部１０３に記憶している警告電圧Ｖｗが適正であると判定する。ステップＳ２１９において、制御部１０４は、記憶部１０３に記憶している警告電圧Ｖｗを差分ΔＶａｎ−ΔＶｂｎに相当する値だけ高く設定することが適正であることを示す情報を表示部１０５に表示させ、その旨をユーザに通知する。
【００３０】
以上説明したように、実施形態１によれば、電子機器１００は、電源の電圧を検出し、検出した電圧が所定の電圧である際に、電源から負荷に所定の電流を流し、その際の電圧降下を計算し、計算した電圧降下と記憶部１０３に記憶している基準となる電圧降下とを比較することができる。比較した結果、計算した電圧降下が大きい場合、電子機器１００は、計算した電圧降下と記憶部１０３に記憶している基準となる電圧降下との差分に相当する値だけ警告電圧Ｖｗを高く設定することが適正であると判定することができる。これにより、電子機器１００は、使用する電源の放電特性の違いによる影響を考慮しつつ、警告電圧Ｖｗが適正であるか否かを判定することができ、その判定結果をユーザに通知することができる。
【００３１】
［実施形態２］
次に、図５に示すフローチャートを参照し、実施形態２における電子機器１００で行われる通知制御方法を説明する。
【００３２】
図５のステップＳ３０１〜Ｓ３１５、Ｓ３１７及びＳ３１８で行われる処理は、それぞれ、図２のステップＳ２０１〜Ｓ２１５、Ｓ２１７及びＳ２１８で行われる処理と同様の処理であるため、実施形態２ではそれらの説明を省略する。したがって、実施形態２では、実施形態１とは異なる部分を説明する。
【００３３】
ステップＳ３１６において、制御部１０４は、図４に示すように記憶部１０３に記憶している警告電圧Ｖｗを電圧降下ΔＶａｎと想定電圧降下ΔＶｂｎとの差分ΔＶｂｎ−ΔＶａｎに相当する値だけ低く設定することが適正であると判定し、ステップＳ３１９に移行する。
【００３４】
記憶部１０３に記憶している警告電圧Ｖｗを、ステップＳ３１４で差分ΔＶａｎ−ΔＶｂｎに相当する値だけ高く設定することが適正であると判定した場合、制御部１０４は、ステップＳ３１９において、警告電圧Ｖｗを差分ΔＶａｎ−ΔＶｂｎに相当する値だけ高く設定することが適正であることを示す情報を表示部１０５に表示させ、その旨をユーザに通知する。
【００３５】
一方、記憶部１０３に記憶している警告電圧Ｖｗを、ステップＳ３１６で差分ΔＶｂｎ−ΔＶａｎに相当する値だけ低く設定することが適正であると判定した場合、制御部１０４は、ステップＳ３１９において、警告電圧Ｖｗを差分ΔＶｂｎ−ΔＶａｎに相当する値だけ低く設定することが適正であることを示す情報を表示部１０５に表示させ、その旨をユーザに通知する。
【００３６】
以上説明したように、実施形態２によれば、電子機器１００は、電源の電圧を検出し、検出した電圧が所定の電圧である際に、電源から負荷に所定の電流を流し、その際の電圧降下を計算し、計算した電圧降下と記憶部１０３に記憶している基準となる電圧降下とを比較することができる。比較した結果、計算した電圧降下が小さい場合、電子機器１００は、計算した電圧降下と記憶部１０３に記憶している基準となる電圧降下の差分に相当する値だけ警告電圧Ｖｗを低く設定することが適正であると判定することができる。これにより、電子機器１００は、使用する電源の放電特性の違いによる影響を考慮しつつ、警告電圧Ｖｗが適正であるか否かを判定することができ、その判定結果をユーザに通知することができる。
【００３７】
［実施形態３］
次に、図６に示すフローチャートを参照し、実施形態３における電子機器１００で行われる通知制御方法を説明する。
【００３８】
図６のステップＳ４０１〜Ｓ４１５、Ｓ４１７、Ｓ４１８及びＳ４１６で行われる処理は、それぞれ、図２のステップＳ２０１〜Ｓ２１５、Ｓ２１７及びＳ２１８並びに図５のＳ３１６で行われる処理と同様の処理であるため、実施形態３ではそれらの説明を省略する。したがって、実施形態３では、実施形態１とは異なる部分を説明する。
【００３９】
記憶部１０３に記憶している警告電圧Ｖｗを、ステップＳ４１４で差分ΔＶａｎ−ΔＶｂｎに相当する値だけ高く設定することが適正であると判定した場合、制御部１０４は、ステップＳ４１９において、警告電圧Ｖｗを差分ΔＶａｎ−ΔＶｂｎに相当する値だけ高く設定することが適正であることを示す情報を表示部１０５に表示させ、その旨をユーザに通知する。そして、制御部１０４は、ステップＳ４２０に移行する。
【００４０】
ステップＳ４１４で差分ΔＶａｎ−ΔＶｂｎに相当する値だけ高く設定することが適正であると判定した場合、制御部１０４は、ステップＳ４２０において、警告電圧Ｖｗ＋（ΔＶａｎ−ΔＶｂｎ）を計算し、計算された電圧によって警告電圧Ｖｗを更新する。
【００４１】
一方、記憶部１０３に記憶している警告電圧Ｖｗを、ステップＳ４１６で差分ΔＶｂｎ−ΔＶａｎに相当する値だけ低く設定することが適正であると判定した場合、制御部１０４は、ステップＳ４１９において、警告電圧Ｖｗを差分ΔＶｂｎ−ΔＶａｎに相当する値だけ低く設定することが適正であることを示す情報を表示部１０５に表示させ、その旨をユーザに通知する。そして、制御部１０４は、ステップＳ４２０に移行する。
【００４２】
ステップＳ４１６で差分ΔＶｂｎ−ΔＶａｎに相当する値だけ低く設定することが適正であると判定した場合、制御部１０４は、ステップＳ４２０において、警告電圧Ｖｗ−（ΔＶｂｎ−ΔＶａｎ）を計算し、計算された電圧によって警告電圧Ｖｗを更新する。
【００４３】
以上説明したように、実施形態３によれば、電子機器１００は、電源の電圧を検出し、検出した電圧が所定の電圧である際に、電源から負荷に所定の電流を流し、その際の電圧降下を計算し、計算した電圧降下と記憶部１０３に記憶している基準となる電圧降下とを比較することができる。比較した結果、計算した電圧降下が大きい場合は、計算した電圧降下と記憶部１０３に記憶している基準となる電圧降下との差分に相当する値だけ警告電圧Ｖｗを高く設定することが適正であると判定する。
【００４４】
比較した結果、計算した電圧降下が小さい場合、電子機器１００は、計算した電圧降下と記憶部１０３に記憶している基準となる電圧降下との差分に相当する値だけ警告電圧Ｖｗを低く設定することが適正であると判定することができる。これにより、電子機器１００は、使用する電源の放電特性の違いによる影響を考慮しつつ、警告電圧Ｖｗが適正であるか否かを判定することができ、その判定結果をユーザに通知することができる。さらに、電子機器１００は、計算された適正な電圧によって警告電圧Ｖｗを更新することができる。
【００４５】
［実施形態４］
本発明は上述の実施形態に限られるものではなく、この発明の要旨を逸脱しない範囲で様々な変更又は変形が可能である。例えば、上述の実施形態で検出される情報は、予め記憶部１０３に記憶してあれば、その情報を使用してもよい。さらに、記憶部１０３から取得できる情報は、記憶部１０３以外からも取得可能であれば、記憶部１０３以外から取得するようにしてもよい。例えば、ユーザが操作部１０８を介して入力した情報を取得するようにしてもよい。
【符号の説明】
【００４６】
１００  電子機器
１０１  電源
１０２  電圧検出部
１０３  記憶部
１０４  制御部
１０５  表示部
１０６  負荷
１０７  電流検出部
１０８  操作部
【図１】
2018061387.tif 000003
【図２】
2018061387.tif 000004
【図３】
2018061387.tif 000005
【図４】
2018061387.tif 000006
【図５】
2018061387.tif 000007
【図６】
2018061387.tif 000008